(57)【要約】【課題】尿臭除去効果、尿臭移り防止効果、及び安定性に優れた衣料用液体洗浄剤組成物を提供すること。【解決手段】（Ａ）成分：ノニオン界面活性剤、（Ｂ）成分：アニオン界面活性剤、及び（Ｃ）成分：有機カルボン酸を含有し、前記（Ｂ）成分の含有量が、衣料用液体洗浄剤組成物の総質量に対し、２．５質量％以上であり、前記（Ｃ）成分の含有量が、衣料用液体洗浄剤組成物の総質量に対し、５質量％以上であり、前記（Ａ）成分の含有量と前記（Ｂ）成分の含有量との合計が、衣料用液体洗浄剤組成物の総質量に対し、１２質量％以上であり、（Ｂ）成分／（Ａ）成分で表される質量比が０．０５〜０．５であり、２５℃におけるｐＨが７未満である、衣料用液体洗浄剤組成物。【選択図】なし【特許請求の範囲】
【請求項１】
（Ａ）成分：ノニオン界面活性剤、（Ｂ）成分：アニオン界面活性剤、及び（Ｃ）成分：有機カルボン酸を含有し、
前記（Ｂ）成分の含有量が、衣料用液体洗浄剤組成物の総質量に対し、２．５質量％以上であり、
前記（Ｃ）成分の含有量が、衣料用液体洗浄剤組成物の総質量に対し、５質量％以上であり、
前記（Ａ）成分の含有量と前記（Ｂ）成分の含有量との合計が、衣料用液体洗浄剤組成物の総質量に対し、１２質量％以上であり、
（Ｂ）成分／（Ａ）成分で表される質量比が０．０５〜０．５であり、
２５℃におけるｐＨが７未満である、衣料用液体洗浄剤組成物。
【発明の詳細な説明】
【技術分野】
【０００１】
本発明は、衣料用液体洗浄剤組成物に関する。
【背景技術】
【０００２】
高齢者や要介護者のいる家庭や介護施設では、衣類に付着した尿臭が問題となっている。さらに、尿臭は通常の洗濯では落としにくいという問題がある。このような状況に鑑み、市場においては、衣類に付着した尿臭を低減できる（尿臭除去効果が高い）洗剤が求められている。
【０００３】
特許文献１は、アニオン界面活性剤、クエン酸を含む、ｐＨ２〜６の酸性洗濯洗剤組成物について提案している。特許文献１の組成物によれば、洗浄力の向上が図られている。
【先行技術文献】
【特許文献】
【０００４】
【特許文献１】特表２００８−５１９１４８号公報
【発明の概要】
【発明が解決しようとする課題】
【０００５】
しかしながら、特許文献１の組成物では、尿臭除去効果は充分ではない。
さらに、衣料用液体洗浄剤には、尿臭移り防止効果（尿臭が他の被洗物に移ることを防ぐ効果）や、液体の安定性が要求される。
本発明は上記事情に鑑みてなされたものであり、尿臭除去効果、尿臭移り防止効果、及び安定性に優れた衣料用液体洗浄剤組成物を提供することを目的とする。
【課題を解決するための手段】
【０００６】
本発明者らは以下の衣料用液体洗浄剤組成物が、上記課題を解決できることを見出した。
すなわち本発明は、以下の態様を有する。
［１］  （Ａ）成分：ノニオン界面活性剤、（Ｂ）成分：アニオン界面活性剤、及び（Ｃ）成分：有機カルボン酸を含有し、
前記（Ｂ）成分の含有量が、衣料用液体洗浄剤組成物の総質量に対し、２．５質量％以上であり、
前記（Ｃ）成分の含有量が、衣料用液体洗浄剤組成物の総質量に対し、５質量％以上であり、
前記（Ａ）成分の含有量と前記（Ｂ）成分の含有量との合計が、衣料用液体洗浄剤組成物の総質量に対し、１２質量％以上であり、
（Ｂ）成分／（Ａ）成分で表される質量比が０．０５〜０．５であり、
２５℃におけるｐＨが７未満である、衣料用液体洗浄剤組成物。
【発明の効果】
【０００７】
本発明の衣料用液体洗浄剤組成物によれば、尿臭除去効果、尿臭移り防止効果、及び安定性を向上することができる。
【発明を実施するための形態】
【０００８】
≪衣料用液体洗浄剤組成物≫
本発明の衣料用液体洗浄剤組成物は、以下の（Ａ）〜（Ｃ）成分を含有する。
＜（Ａ）成分＞
（Ａ）成分はノニオン界面活性剤である。具体的には、下記式（ａ−１）で表されるポリ（オキシアルキレン）アルキルエーテルが挙げられる。
Ｒ１２−Ｘ−［（ＥＯ）ｓ／（ＰＯ）ｔ］−Ｒ１３  ・・・（ａ−１）
式（ａ−１）中、Ｒ１２は炭素数８〜１８の炭化水素基であり、Ｘは−Ｏ−または−Ｃ（Ｏ）Ｏ−であり、Ｒ１３は水素原子、炭素数１〜６のアルキル基、または炭素数２〜６のアルケニル基である。ｓはＥＯの平均繰返し数を表し、３〜２０の数である。ｔはＰＯの平均繰返し数を表し、０〜６の数である。ＥＯはオキシエチレン基、ＰＯはオキシプロピレン基を表し、ＥＯとＰＯとは混在して配列してもよい。
【０００９】
式（ａ−１）中、Ｒ１２である炭化水素基の炭素数は８〜１８であり、特に良好な洗浄力が得られやすい点で１０〜１８が好ましい。Ｒ１３は直鎖状であっても分岐鎖状であってもよい。Ｒ１２は脂肪族炭化水素基が好ましく、直鎖もしくは分岐鎖のアルキル基、又は直鎖もしくは分岐鎖のアルケニル基がより好ましい。
Ｒ１２としての炭化水素基は、１級又は２級の高級アルコール、高級脂肪酸、高級脂肪酸アミド等の原料に由来するものが挙げられる。具体的には、１級又は２級の高級アルコールからＯＨ基を除いた残基、高級脂肪酸からＣ（Ｏ）ＯＨ基を除いた残基、高級脂肪酸アミドからＣ（Ｏ）ＮＨ基を除いた残基等である。
Ｒ１３としてのアルキル基の炭素数は１〜６であり、１〜３が好ましい。Ｒ１３としてのアルケニル基の炭素数は２〜６であり、２〜３が好ましい。
Ｘは−Ｏ−または−Ｃ（Ｏ）Ｏ−である。Ｘが−Ｏ−のとき、（Ａ）成分はアルコールアルコキシレートである。この場合において、洗浄力が良好であることから、Ｒ１２の炭素数は１０〜１８であることが好ましく、Ｒ１２は不飽和結合を有していてもよい。また、この場合において、Ｒ１３は水素原子であることが好ましい。
Ｘが−Ｃ（Ｏ）Ｏ−であるとき、（Ａ）成分は脂肪酸エステル型非イオン界面活性剤である。この場合において、洗浄力が良好であることから、Ｒ１２の炭素数は９〜１８であることが好ましく、より好ましくは１１〜１８である。Ｒ１２は不飽和結合を有していてもよい。また、この場合において、Ｒ１３は、炭素数１〜３のアルキル基であることが好ましい。
【００１０】
式中のｓはＥＯ（オキシエチレン基）の平均繰り返し数であり、ｔはＰＯ（オキシプロピレン基）の平均繰り返し数である。ｓ及びｔは、それぞれ加重平均値を意味する。ｓ及びｔは、例えばガスクロマトグラフ質量分析計を用いて測定することができる。
ｓは３〜２０である、好ましくは５〜１８の数であり、より好ましくは１０〜１８、特に好ましくは１４〜１８の数である。上記下限値以上であると、尿臭除去効果を向上しやすい。上記上限値以下であると、尿臭除去効果を向上しやすく、酸素ガス吸収を防止しやすい。
ｔは０〜６であり、好ましくは０〜３の数である。ｔが６を超えると、高温下での保存安定性が低下する傾向にある。
ＥＯとＰＯとは混在して配列してもよく、（ＥＯ）ｓ／（ＰＯ）ｔは、ＥＯとＰＯとがランダム状に付加していてもよく、ブロック状に付加していてもよい。
【００１１】
また、例えば下式（ａ−２）で表されるように、ＥＯのブロック鎖−ＰＯのブロック鎖−ＥＯのブロック鎖の順に付加したものでもよく、ＥＯとＰＯのランダム鎖−ＥＯのブロック鎖の順に付加したものでもよい。
Ｒ１４−Ｏ−［（ＥＯ）ｐ／（ＰＯ）ｑ］−（ＥＯ）ｒ−Ｈ  ・・・（ａ−２）
式（ａ−２）中、Ｒ１４は炭素数８〜１８の炭化水素基である。ｐはＥＯの平均繰返し数を表し、ｑはＰＯの平均繰返し数を表し、ｒはＥＯの平均繰返し数を表し、ｐ、ｑ、ｒはｐ＞１、ｒ＞１、０＜ｑ≦３、ｐ＋ｒ＝１０〜２０を満たす数である。ＥＯはオキシエチレン基、ＰＯはオキシプロピレン基を表し、（ＥＯ）ｐ／（ＰＯ）ｑにおけるＥＯとＰＯはランダム状に配列していてもよく、ブロック状に配列していてもよい。
Ｒ１４は式（ａ−１）のＲ１２と好ましい態様も含めて同様である。
式（ａ−２）で表される成分は、公知の方法で製造することができる。例えば炭化水素基を有するアルコールに対して、エチレンオキシド、プロピレンオキシドの順に付加反応した後、又はエチレンオキシドとプロピレンオキシドとを混合付加（ランダム付加）した後、再度、エチレンオキシドを付加することで製造できる。
式（ａ−２）で表される（Ａ）成分を用いると、適度な粘度が得られやすくなり、ゲル化も抑制される。また、泡立ち性が向上し、生分解性もより良好になる。
特に式（ａ−２）におけるＥＯとＰＯとの比率は、ｑ／（ｐ＋ｒ）で表される比で０．１〜０．５であることが好ましく、より好ましくは０．１〜０．３である。ｑ／（ｐ＋ｒ）で表される比が下限値以上であると、泡が立ちすぎず、泡立ちの適正化が図られやすい。上限値以下であると、適度な粘度が得られやすくなり、ゲル化が抑制されやすい。
【００１２】
式（ａ−１）で表される（Ａ）成分において、ＥＯ又はＰＯの平均繰返し数の分布は、（Ａ）成分を製造する際の反応方法によって変動しやすく、特に限定されない。たとえば、一般的な水酸化ナトリウム、水酸化カリウム等のアルカリ触媒を用いて、エチレンオキシド又はプロピレンオキシドを、炭化水素基を有する開始化合物（１級又は２級の高級アルコール、高級脂肪酸、高級脂肪酸アミド等）に付加させた場合には、比較的広い分布となる傾向にある。一方、特公平６−１５０３８号公報に記載のＡｌ３＋、Ｇａ３＋、Ｉｎ３＋、Ｔｌ３＋、Ｃｏ３＋、Ｓｃ３＋、Ｌａ３＋、Ｍｎ２＋等の金属イオンを添加した酸化マグネシウム等の特定のアルコキシル化触媒を用いて、エチレンオキシド又はプロピレンオキシドを該炭化水素基を有する開始化合物に付加させた際には、比較的狭い分布となる傾向にある。
【００１３】
（Ａ）成分の具体例としては、三菱化学社製の商品名Ｄｉａｄｏｌ（Ｃ１３、Ｃは炭素数を示す。以下同様。）、Ｓｈｅｌｌ社製の商品名Ｎｅｏｄｏｌ（Ｃ１２とＣ１３との混合物）、Ｓａｓｏｌ社製の商品名Ｓａｆｏｌ２３（Ｃ１２とＣ１３との混合物）等のアルコールに対して、１２モル相当、又は１５モル相当のエチレンオキシドを付加したもの；
Ｐ＆Ｇ社製の商品名ＣＯ−１２１４又はＣＯ−１２７０等の天然アルコールに対して、１２モル相当、又は１５モル相当のエチレンオキシドを付加したもの；
ブテンを３量化して得られるＣ１２アルケンをオキソ法に供して得られるＣ１３アルコールに対して、７モル相当のエチレンオキシドを付加したもの（ＢＡＳＦ社製の商品名Ｌｕｔｅｎｓｏｌ  ＴＯ７）；
ペンタノールをガーベット反応に供して得られるＣ１０アルコールに対して、９モル相当のエチレンオキシドを付加したもの（ＢＡＳＦ社製の商品名Ｌｕｔｅｎｓｏｌ  ＸＰ９０）；
ペンタノールをガーベット反応に供して得られるＣ１０アルコールに対して、７モル相当のエチレンオキシドを付加したもの（ＢＡＳＦ社製の商品名Ｌｕｔｅｎｓｏｌ  ＸＬ７０）；
ペンタノールをガーベット反応に供して得られるＣ１０アルコールに対して、６モル相当のエチレンオキシドを付加したもの（ＢＡＳＦ社製の商品名Ｌｕｔｅｎｓｏｌ  ＸＡ６０）；
炭素数１２〜１４の第２級アルコールに対して、９モル相当、又は１５モル相当のエチレンオキシドを付加したもの（日本触媒社製の商品名ソフタノール９０、ソフタノール１５０）等が挙げられる。
さらには、ヤシ脂肪酸メチル（ラウリン酸／ミリスチン酸＝８／２）に対して、アルコキシル化触媒を用いて、１５モル相当の酸化エチレンを付加したもの（ポリオキシエチレンヤシ脂肪酸メチルエステル（ＥＯ１５モル）も挙げられる。
【００１４】
（Ａ）成分として、特に洗浄性の点で、式（ａ−１）中、Ｘが−Ｏ−である、ポリオキシエチレンアルキルエーテル（ＡＥ）、ポリオキシエチレンポリオキシプロピレンアルキルエーテル（ＥＯＰＯ型ノニオン）等のポリオキシアルキレン型ノニオン界面活性剤；もしくは、式（ａ−１）中、Ｘが−Ｃ（Ｏ）Ｏ−である、脂肪酸エステル型非イオン界面活性剤が好ましい。より好ましくは脂肪酸エステル型非イオン界面活性剤である。
（Ａ）成分は１種類を単独で用いてもよく、２種類以上を組合わせて用いてもよい。
【００１５】
（Ａ）成分の含有量は、衣料用液体洗浄剤組成物の総質量に対し、８質量％以上が好ましく、１０〜４０質量％がより好ましく、１５〜３０質量％がさらに好ましい。
上記下限値以上であると、充分な尿臭除去効果を付与しやすい。
上記上限値以下であると、安定性を向上しやすい。
【００１６】
＜（Ｂ）成分＞
（Ｂ）成分はアニオン界面活性剤である。（Ｂ）成分としては、特に限定されず、繊維製品用等の洗浄剤に通常用いられているアニオン界面活性剤が挙げられる。
（Ｂ）成分としては、例えば、直鎖アルキルベンゼンスルホン酸又はその塩；α−オレフィンスルホン酸塩；直鎖または分岐鎖のアルキル硫酸エステル塩；アルキルエーテル硫酸エステル塩またはアルケニルエーテル硫酸エステル塩；アルカンスルホン酸塩；α−スルホ脂肪酸エステル塩；脂肪酸又はその塩、アルキルエーテルカルボン酸塩、ポリオキシアルキレンエーテルカルボン酸塩、アルキル（又はアルケニル）アミドエーテルカルボン酸塩、アシルアミノカルボン酸塩等のカルボン酸型のアニオン界面活性剤；アルキルリン酸エステル塩、ポリオキシアルキレンアルキルリン酸エステル塩、ポリオキシアルキレンアルキルフェニルリン酸エステル塩、グリセリン脂肪酸エステルモノリン酸エステル塩等のリン酸エステル型のアニオン界面活性剤等が挙げられる。
これらの塩としては、ナトリウム、カリウム等のアルカリ金属塩、マグネシウム等のアルカリ土類金属塩、モノエタノールアミン塩、ジエタノールアミン塩などのアルカノールアミン塩等が挙げられる。
【００１７】
上記のうち、直鎖アルキルベンゼンスルホン酸又はその塩としては、直鎖アルキル基の炭素数が８〜１６のものが好ましく、炭素数１０〜１４のものが特に好ましい。
α−オレフィンスルホン酸塩としては、炭素数１０〜２０のものが好ましい。
アルキル硫酸エステル塩としては、炭素数１０〜２０のものが好ましい。
アルキルエーテル硫酸エステル塩またはアルケニルエーテル硫酸エステル塩としては、炭素数１０〜２０の直鎖または分岐鎖のアルキル基もしくはアルケニル基を有し、平均１〜１０モルのエチレンオキシドを付加したポリオキシエチレンアルキルエーテル硫酸エステル塩又はポリオキシエチレンアルケニルエーテル硫酸エステル塩が好ましい。
アルカンスルホン酸塩としては、炭素数１０〜２０、好ましくは１４〜１７のアルキル基を有する２級アルカンスルホン酸塩が好ましい。
α−スルホ脂肪酸エステル塩としては、炭素数１０〜２０のα−スルホ脂肪酸エステル塩が好ましい。
脂肪酸又はその塩としては、炭素数１０〜２０の脂肪酸又はその塩が好ましい。
これらの中でも、尿臭移り防止効果や安定性が高められやすい点から、（Ｂ）成分として、直鎖アルキルベンゼンスルホン酸又はその塩を用いることが好ましい。
（Ｂ）成分は１種類を単独で用いてもよく、２種類以上を組合わせて用いてもよい。
【００１８】
（Ｂ）成分の含有量は、衣料用液体洗浄剤組成物の総質量に対し、２．５質量％以上であり、２．５〜２０質量％が好ましく、３〜１５質量％がより好ましく、４〜１０質量％がさらに好ましい。
上記下限値以上であると、充分な尿臭移り防止効果を付与しやすい。
上記上限値以下であると、安定性を向上しやすい。
【００１９】
（Ａ）成分の含有量と（Ｂ）成分との含有量との合計（以下、Ａ＋Ｂともいう）は、衣料用液体洗浄剤組成物の総質量に対し、１２質量％以上であり、１５〜５０質量％が好ましく、２０〜４０質量％がより好ましい。２５〜３５質量％が特に好ましい。
上記下限値以上であると、尿臭除去効果、及び尿臭移り防止効果を向上しやすい。
上記上限値以下であると、安定性を向上しやすい。
【００２０】
（Ｂ）成分／（Ａ）成分で表される質量比（以下、Ｂ／Ａ比ともいう）は、０．０５〜０．５であり、０．１〜０．４が好ましく、０．２〜０．３がより好ましい。
上記下限値以上であると、尿臭移り防止効果を向上しやすい。
上記上限値以下であると、尿臭除去効果を向上しやすい。
【００２１】
＜（Ｃ）成分＞
（Ｃ）成分は有機カルボン酸である。有機カルボン酸としては、カルボキシ基とヒドロキシ基を有するヒドロキシカルボン酸（クエン酸、酒石酸、リンゴ酸、乳酸等）、シュウ酸、マロン酸が挙げられる。
（Ｃ）成分は１種類を単独で用いてもよく、２種類以上を組合せて用いてもよい。
（Ｃ）成分がヒドロキシカルボン酸を含むことが好ましい。ヒドロキシカルボン酸の中でも、性能や供給性の観点から、クエン酸、酒石酸、リンゴ酸、乳酸が好ましく、クエン酸、酒石酸がさらに好ましく、クエン酸が特に好ましい。
【００２２】
（Ｃ）成分の含有量は、衣料用液体洗浄剤組成物の総質量に対し、５質量％以上であり、５〜２０質量％が好ましく、７〜１２質量％がより好ましい。
上記下限値以上であると、尿臭除去効果を向上しやすい。
上記上限値以下であると、安定性を向上しやすい。
【００２３】
（Ａ）成分／（Ｃ）成分で表される質量比（以下、Ａ／Ｃ比ともいう）は、１．０以上が好ましく、１．０〜５．０がより好ましく、２．０〜４．０がさらに好ましい。
上記下限値以上であると、尿臭除去性能を向上しやすい。
上記上限値以下であると、安定性を向上しやすい。
（Ｂ）成分／（Ｃ）成分で表される質量比（以下、Ｂ／Ｃ比ともいう）は、０．２以上が好ましく、０．２〜１．２がより好ましく、０．４〜１．０がさらに好ましい。
上記下限値以上であると、尿臭移り防止性能を向上しやすい。
上記上限値以下であると、安定性を向上しやすい。
【００２４】
＜その他の任意成分＞
本発明の衣料用液体洗浄剤組成物は、上記の成分および水以外に、液体洗浄剤に用いられている公知の成分を適宜含有させることができる。
例えば、両性界面活性剤、酸化防止剤、酵素、ｐＨ調整剤、水混和性有機溶媒、金属イオン捕捉剤、防腐剤、風合い向上剤、移染防止剤、再汚染防止剤、パール剤、ソイルリリース剤、ハイドロトロープ剤、着香剤、着色剤、乳濁剤、蛍光剤、エキス等の任意成分が挙げられる。
その他の任意成分の合計の含有量は特に限定されないが、例えば、衣料用液体洗浄剤の総質量に対し、１０質量％以下が好ましく、７質量％以下がより好ましく、５質量％以下がさらに好ましい。
【００２５】
酸化防止剤としては、ＢＨＴ（ジブチルヒドロキシトルエン）、ＢＨＡ（ブチルヒドロキシアニソール）、ビタミンＥ（トコフェロール）、エリソルビン酸ナトリウム、メトキシフェノール、二酸化硫黄、コーヒー豆抽出物（クロロゲン酸）、緑茶抽出物（カテキン）、ローズマリー抽出物等が挙げられる。酸化防止剤は、１種を単独で用いてもよく、２種以上を併用してもよい。
着香剤としては、通常洗剤に配合できるものが使用でき、洗剤の香料として使用される香料原料のリストは、様々な文献、例えば「Ｐｅｒｆｕｍｅ  ａｎｄ  Ｆｌａｖｏｒ  Ｃｈｅｍｉｃａｌｓ」，Ｖｏｌ．Ｉ  ａｎｄ  ＩＩ，Ｓｔｅｆｆｅｎ  Ａｒｃｔａｎｄｅｒ，Ａｌｌｕｒｅｄ  Ｐｕｂ．Ｃｏ．（１９９４）および「合成香料  化学と商品知識」、印藤元一著、化学工業日報社（１９９６）および「Ｐｅｒｆｕｍｅ  ａｎｄ  Ｆｌａｖｏｒ  Ｍａｔｅｒｉａｌｓ  ｏｆ  Ｎａｔｕｒａｌ  Ｏｒｉｇｉｎ」，Ｓｔｅｆｆｅｎ  Ａｒｃｔａｎｄｅｒ，Ａｌｌｕｒｅｄ  Ｐｕｂ．Ｃｏ．（１９９４）および「香りの百科」、日本香料協会編、朝倉書店（１９８９）および「Ｐｅｒｆｕｍｅｒｙ  Ｍａｔｅｒｉａｌ Ｐｅｒｆｏｒｍａｎｃｅ  Ｖ．３．３」，Ｂｏｅｌｅｎｓ  Ａｒｏｍａ  Ｃｈｅｍｉｃａｌ  Ｉｎｆｏｒｍａｔｉｏｎ  Ｓｅｒｖｉｃｅ（１９９６）および「Ｆｌｏｗｅｒ  ｏｉｌｓ  ａｎｄ  Ｆｌｏｒａｌ  Ｃｏｍｐｏｕｎｄｓ  Ｉｎ  Ｐｅｒｆｕｍｅｒｙ」，Ｄａｎｕｔｅ  Ｌａｊａｕｊｉｓ  Ａｎｏｎｉｓ，Ａｌｌｕｒｅｄ  Ｐｕｂ．Ｃｏ．（１９９３）等で見られ、それぞれを引用することにより本明細書の開示の一部とされる。
本発明の衣料用液体洗浄剤組成物は、着香剤として香料組成物を配合することが好ましく、その配合量は、衣料用液体洗浄剤の総質量に対し、０．０１〜２質量％、好ましくは０．０５〜１質量％、より好ましくは０．１〜０．５質量％である。
【００２６】
ｐＨ調整剤としては、塩酸、硫酸、リン酸等の無機酸、水酸化ナトリウム、水酸化カリウム、アルカノールアミン、アンモニア等が挙げられる。これらのなかでも、液体洗浄剤の経時安定性の面から、硫酸、水酸化ナトリウム、水酸化カリウム、アルカノールアミンが好ましく、硫酸、水酸化ナトリウムが好ましい。ｐＨ調整剤は、１種を単独で用いてもよく、２種以上を併用してもよい。
【００２７】
「水混和性有機溶媒」とは、２５℃のイオン交換水１Ｌに５０ｇ以上溶解する有機溶媒であり、液体洗浄剤において公知のものを使用できる。
例えば、エタノール、１−プロパノール、２−プロパノール、１−ブタノール等の炭素数２〜４の一価アルコール；エチレングリコール、プロピレングリコール、ブチレングリコール、トリエチレングリコール、テトラエチレングリコール、平均分子量約２００〜５０００のポリエチレングリコール、メトキシポリエチレングリコール、グリセリン等の炭素数２〜４の多価アルコール；及びエチレングリコールモノブチルエーテル、エチレングリコールモノヘキシルエーテル、エチレングリコールモノフェニルエーテル、プロピレングリコールモノフェニルエーテル、ジエチレングリコールモノメチルエーテル、ジエチレングリコールモノブチルエーテル、ダイセル社製セルトールＥＤＧＡＣ（ジエチレングリコールモノエチルエーテルアセテート）等のグリコールエーテル系溶剤が挙げられる。
【００２８】
本発明の衣料用液体洗浄剤組成物は、２５℃におけるｐＨが７未満であり、２〜６が好ましく、３〜５がより好ましい。ｐＨがこのような範囲にあると、尿臭除去効果を向上しやすくなる。
衣料用液体洗浄剤組成物のｐＨは、必要に応じて、ｐＨ調整剤を添加することにより調整できる。
なお、本明細書において、ｐＨは、測定対象を２５℃とし、ｐＨメーター（製品名：ＨＭ−３０Ｇ、東亜ディーケーケー株式会社製）により測定される値を意味する。
本発明の衣料用液体洗浄剤組成物の各成分の含有量の合計は、１００質量％を超えない。
【００２９】
＜製造方法＞
本発明の衣料用液体洗浄剤組成物は、従来公知の液体洗浄剤の製造方法に準じて製造することができる。例えば、分散媒である水の一部に、ｐＨ調整剤を除く各成分を加えて混合した後、ｐＨ調整剤を添加して任意のｐＨに調整した後、水の残部を加えて全体量を１００質量％として、衣料用液体洗浄剤組成物とする。
【００３０】
＜使用方法＞
本発明の衣料用液体洗浄剤組成物の使用方法としては、例えば、衣料用液体洗浄剤組成物を単独で、又は公知の漂白剤や柔軟剤と共に水に入れて洗浄液とし、この洗浄液に被洗物を入れ洗濯機で洗浄する方法、洗浄液に被洗物を一定時間漬け置きした後、その後、洗濯機で洗浄する方法等が挙げられる。
本発明の衣料用液体洗浄剤組成物は、高齢者や要介護者の衣料（以下、介護用品ともいう）を洗浄するために好ましく用いられる。また発明の衣料用液体洗浄剤組成物は、高齢者や要介護者の衣料の洗浄に限定されるものでなく、尿汚れのある衣類、例えば軽失禁による尿汚れ衣類、乳幼児の尿汚れ衣類、またはペットの尿汚れ衣類やマット等にも好適に用いることができる。
【実施例】
【００３１】
以下に実施例を用いて本発明をさらに詳しく説明するが、本発明はこれら実施例に限定されるものではない。
表２及び３に示す組成に従い各成分を混合し、ｐＨ調整剤を加えてｐＨが表２及び３に示す値となるよう調製して各組成物を得た。
表中の配合量の単位は「質量％」であり、いずれの成分も純分換算量を示す。
表中の空欄はその成分が配合されていないことを示す。
「バランス」は、各例の組成物に含まれる全配合成分の合計の配合量（質量％）が１００質量％となるように水が配合されていることを意味する。
以下に、表中に示した成分について説明する。
【００３２】
＜（Ａ）成分＞
・ａ−１：ポリオキシエチレンアルキル（炭素数１２〜１４）エーテル（ＥＯの平均付加モル数１５）、商品名「ＬＭＡＯ−９０」、ライオン・スペシャリティ・ケミカルズ株式会社製。式（ａ−１）中、Ｒ１２＝炭素数１２〜１４のアルキル基、Ｘ＝Ｏ、ｓ＝１５、ｔ＝０、Ｒ１３＝Ｈ。
・ａ−２：ポリオキシエチレンアルキル（炭素数１２〜１４）エーテル（ＥＯの平均付加モル数９）、商品名「レオックスＣＬ−９０」、ライオン株式会社製。式（ａ−１）中、Ｒ１２＝炭素数１２〜１４のアルキル基、Ｘ＝Ｏ、ｓ＝９、ｔ＝０、Ｒ１３＝Ｈ。
＜（Ｂ）成分＞
・ｂ−１：ＬＡＳ、炭素数１０〜１４のアルキル基を有する直鎖状又は分岐鎖状のアルキルベンゼンスルホン酸、商品名「ライポン（登録商標）ＬＨ−２００」、ライオン株式会社製。
＜（Ｃ）成分＞
・ｃ−１：クエン酸、商品名「くえん酸」、関東化学株式会社製。
・ｃ−２：Ｌ（＋）−酒石酸、商品名「Ｌ（＋）−Ｔａｒｔａｒｉｃ  Ａｃｉｄ」、和光純薬社製。
・ｃ−３：乳酸、商品名「ＰＵＲＡＣ  ＨＳ５０」、コービオンジャパン株式会社製。
＜任意成分＞
・ＰＥＧ：ポリエチレングリコール、商品名「ＰＥＧ＃１０００−６０Ｌ」、ライオン株式会社製。
・安息香酸ナトリウム：商品名「安息香酸ナトリウム」、東亜合成株式会社製。
・ＢＨＴ：商品名「ＳＵＭＩＬＺＥＲ  ＢＨＴ−Ｒ」、住友化学株式会社製。
・香料：表１の香料組成物。
・ｐＨ調整剤（ＮａＯＨ）：鶴見曹達（株）製、商品名：水酸化ナトリウム。
・ｐＨ調整剤（硫酸）：和光純薬工業（株）製、商品名：硫酸。
・水。
【００３３】
＜尿臭除去効果の評価＞
（１）尿臭を有する衣料の調製
要介護者のいる１０家庭から、綿パジャマの下穿きを尿モレ後に回収した。回収対象は、１年以上使用しており、尿モレ頻度が３回以上／週、かつ普段洗濯をしても尿臭が落ちていないものとした。回収後パネラーが下記（３）の官能評価に従い、臭気強度０点もしくは１点を選定した上で、さらに、ｐ−クレゾール量が多い衣類に特長的な「重く独特で重く陰鬱なニオイ」がする衣類４家庭分を選定した。これを一辺が４ｃｍの正方形に裁断し、試験布とした。
（２）組成物による洗浄
この試験布について下記のように洗浄試験を行った。洗浄試験器として、Ｔｅｒｇ−Ｏ−ｔｏｍｅｔｅｒ（ＵＮＩＴＥＤ  ＳＴＡＴＥＳ  ＴＥＳＴＩＮＧ社製）を用いた。洗浄液としては、水９００ｍＬに表２および３の衣料用液体洗浄剤組成物が８３３ｐｐｍになるように加え、３０秒間撹拌して調製した洗浄液を用いた。前記洗浄試験器に、前記洗浄液９００ｍＬと、前記試験布５枚と、洗浄メリヤス布とを投入し、浴比２０倍に合わせて、１２０ｒｐｍ、１５℃で２０分間洗浄した。次に、二槽式洗濯機（三菱電機社製：製品名ＣＷ−Ｃ３０Ａ１−Ｈ１）に移し、１分間脱水後、水道水（１５℃、４゜ＤＨ）３０Ｌ中で３分間濯ぎ、再度1分間脱水した。
（３）尿臭の官能評価
各パネラーが、１家庭分の試験布５枚を１組として、４組の臭いを嗅いで、下記の評価基準に基づいて臭気強度を６段階で評価し、各パネラー毎に４組の臭気強度の平均点を算出する方法で行った。臭気強度の点数が高いほど臭気が弱いことを表す。また官能評価の平均点（６名の平均点）に基づいて、下記の基準で尿臭除去効果を評価した。
（臭気強度の評価）
５点：異臭が全くしない。
４点：尿臭がやっと感知できる程度に感じられる。
３点：尿臭が弱く感じられる。
２点：尿臭がやや強く感じられる。
１点：尿臭が強く感じられる。
０点：尿臭が強烈に感じられる。
（評価基準）
◎：官能評価の平均点が３．０以上。
○：官能評価の平均点が２．５〜２．９。
△：官能評価の平均点が２．０〜２．４。
×：官能評価の平均点が１．９以下。
【００３４】
＜尿臭移り防止効果の評価＞
（１）尿臭を有する衣料の調製
要介護者のいる１０家庭から、綿パジャマの下穿きを尿モレ後に回収した。回収対象は、１年以上使用しており、尿モレ頻度が３回以上／週、かつ普段洗濯をしても尿臭が落ちていない衣類とした。回収後パネラーが下記（３）の官能評価に従い、臭気強度０点もしくは１点を選定した上で、さらに、ｐ−クレゾール量が多い衣類に特長的な「重く独特で重く陰鬱なニオイ」がする衣類４家庭分を選定した。これを一辺が４ｃｍの正方形に裁断し、試験布とした。
（２）組成物による洗浄
この試験布について下記のように洗浄試験を行った。洗浄試験器として、Ｔｅｒｇ−Ｏ−ｔｏｍｅｔｅｒ（ＵＮＩＴＥＤ  ＳＴＡＴＥＳ  ＴＥＳＴＩＮＧ社製）を用いた。洗浄液としては、水９００ｍＬに表２および３の衣料用液体洗浄剤組成物が８３３ｐｐｍになるように加え、３０秒間撹拌して調製した洗浄液を用いた。前記洗浄試験器に、前記洗浄液９００ｍＬと、前記試験布５枚と、湿式人工汚染布（財団法人洗濯科学協会製）５枚と、湿式人工汚染布（商品名「ＥＭＰＡ１１６」、ＥＭＰＡ製）５枚と、尿臭移り評価布として綿肌シャツ（ＬＬサイズ、Ｂ．Ｖ．Ｄ．社製）を一辺が４ｃｍの正方形に裁断したものを５枚と、洗浄メリヤス布とを投入し、浴比２０倍に合わせて、１２０ｒｐｍ、１５℃で２０分間洗浄した。次に、二槽式洗濯機（三菱電機社製：製品名ＣＷ−Ｃ３０Ａ１−Ｈ１）に移し、１分間脱水後、水道水（１５℃、４゜ＤＨ）３０Ｌ中で３分間濯ぎ、再度1分間脱水した。
（３）尿臭移りの官能評価
各パネラーが、１家庭分の尿臭移り評価布５枚を１組として、４組の臭いを嗅いで、下記の評価基準に基づいて臭気強度を６段階で評価し、各パネラー毎に４組の臭気強度の平均点を算出する方法で行った。臭気強度の点数が高いほど臭気が弱いことを表す。また官能評価の平均点（６名の平均点）に基づいて、下記の基準で消臭効果を評価した。
（臭気強度の評価）
５点：異臭が全くしない。
４点：異臭がやっと感知できる程度に感じられる。
３点：異臭が弱く感じられる。
２点：異臭がやや強く感じられる。
１点：異臭が強く感じられる。
０点：異臭が強烈に感じられる。
（評価基準）
○：官能評価の平均点が４．０以上。
△：官能評価の平均点が３．０〜３．９。
×：官能評価の平均点が２．９以下。
【００３５】
＜安定性の評価＞
衣料用液体洗浄剤組成物１００ｍＬを透明のガラス瓶（広口規格びんＰＳ−ＮＯ．１１）に取り、蓋を閉めて密封した。この状態で室温（２５℃）にて１ヵ月放置し、これを室温保存サンプルとした。別途、液体洗浄剤組成物１００ｍＬを透明のガラス瓶に取り、蓋を閉めて密封した。この状態で５０℃の恒温槽中に置いて１ヶ月保存した。その後、恒温槽から取り出し、室温（２５℃）にて１時間放置した。放置後の内容物の液外観を目視にて観察し、下記基準にて安定性を評価した。
（評価基準）
○：室温放置後及び５０℃保存後サンプルのどちらも外観は透明均一である。
△：室温放置後サンプルは透明均一であるが、５０℃保存後サンプルは沈殿及び/又は液分離が認められる。
×：室温放置後及び５０℃保存後サンプルのどちらも沈殿及び/又は液分離が認められる。
【００３６】
【表１】
2019099682.tif 000002
【００３７】
【表２】
2019099682.tif 000003
【００３８】
【表３】
2019099682.tif 000004
【００３９】
表２〜３の結果から、本発明を適用した実施例１〜１５は、尿臭除去効果、尿臭移り防止効果、及び安定性のいずれにおいても優れていた。
（Ａ）成分を含まない比較例１は、尿臭除去効果において劣っていた。
（Ｂ）成分の含有量が２．５質量％未満である比較例２は、尿臭移り防止効果において劣っていた。
Ａ＋Ｂが１２質量％未満である比較例３は、尿臭除去効果、及び尿臭移り防止効果において劣っていた。
Ｂ／Ａが０．５超である比較例４は、尿臭除去効果において劣っていた。
（Ｃ）成分を含まない比較例５は、尿臭除去効果、及び尿臭移り防止効果において劣っていた。
（Ｃ）成分の含有量が５質量％未満である比較例６は、尿臭除去性能において劣っていた。
ｐＨが７である比較例７は、尿臭除去効果、及び安定性において劣っていた。